(57)【特許請求の範囲】
【請求項１】
橋脚上面に設置した複数の主桁(１)間に床版用型枠(２)を固定保持して、主桁(１)の上面にコンクリート床版を形成するに当たり、床版用型枠(２)を保持するビーム材(３)を主桁(１)に吊下げ保持する吊下げ金具(５)であって、
長手方向端部に透設したボルト挿通孔(６)の上面開口部を取り囲む状態で開口周縁部に袋ナット(７)を溶着してなるフラットバー(８)と、
前記ボルト挿通孔(６)を貫通してフラットバー(8)に溶着されている袋ナット(７)に一端が螺合されるねじロッド(10)と、
このねじロッド(10)の他端側に螺合されるナット(12)とからなり、
前記フラットバー(８)に螺着されているねじロッド(10)はビーム材(３)の爪部(３ｃ)に形成したボルト挿通孔(９)を貫通してビーム材(３)の下側に突出し、このねじロッド(10)の突出部にナット(12)を螺合して床版用型枠(２)とビーム材(３)とを所定の位置に確りと固定し、
Ｉ型材で構成した主桁(１)の上側フランジの上面にその長手方向に沿って配置されているアンカー材(16)で固定される段取り筋(17)と前記フラットバー(８)とが点溶接で固定されていることを特徴とする床版用型枠を主桁に相対固定する吊下げ型金具。
【請求項２】
フラットバー(８)の下面にスペーサブロック(14)の受部(15)が設置してある請求項１に記載した床版用型枠を主桁に相対固定する吊下げ型金具。
【発明の詳細な説明】
【技術分野】
【０００１】
本発明は、橋梁のコンクリート床版を形成するための型枠を支持する支持具に関し、特に、コンクリート床版の下側型枠をＩ型主桁に保持させるため吊下げ型金具に関する。
【背景技術】
【０００２】
一般に、橋梁のコンクリート床版は、橋脚の支持面に所定の間隔を隔てて設置した複数のＩ型の主桁同士間に床版用型枠を配置し、型枠上に鉄筋を配筋してコンクリート打設することで形成している。
【０００３】
この場合、床版用型枠を固定する方式として、床版用型枠をビーム材等の支持材で受け止め、このビーム材をパイプサポートなどの支保材で保持するようにする支保工方式と、Ｉ型主桁の上側フランジに溶着した吊りボルト受け金具と、この吊りボルト受け金具から垂下させた吊りボルトでビーム材等の型枠支持材を保持して型枠保持材を吊持する方式(特許文献１)がある。
【先行技術文献】
【特許文献】
【０００４】
【特許文献１】特開２００８−２９１６０６号公報
【発明の概要】
【発明が解決しようとする課題】
【０００５】
支保工方式の型枠支持では、橋梁下側の空間内に型枠支持材や支保材が多数配置される上、支保材を繋ぐ根がらみが必要となり、支保材以外の単管パイプやクランプ等、型枠支持のためな必要な使用材料が多く、また、作業量も多くなるという問題がある。
【０００６】
一方、吊りボルトでビーム材等の型枠支持材を保持して型枠保持材を吊持するものにあっては、橋梁の重要な構造部材である主桁のフランジ部分に吊りボルト受け金具を溶接固着することから、桁材に入熱による悪影響が出る懸念がある上、設計仕様で溶接できない材質の部材が指定されることがある。
【０００７】
本発明は、このような点に鑑み提案されたもので、桁材などの構造材に悪影響を及ぼすことなく少ない工数で橋梁の床版型枠を施工することのできる床版用型枠を主桁に相対固定する吊下げ型金具を提供することを目的とする。
【課題を解決するための手段】
【０００８】
上述の目的を達成するために、請求項１に開示の発明は、橋脚上面に設置した複数の主桁間に床版用型枠を固定保持して、主桁の上面にコンクリート床版を形成するに当たり、床版用型枠を保持するビーム材を主桁に吊下げ保持する吊下げ金具であって、
長手方向端部に透設したボルト挿通孔の上面開口部を取り囲む状態で開口周縁部に袋ナットを溶着してなるフラットバーと、
前記ボルト挿通孔を貫通してフラットバーに溶着されている袋ナットに一端が螺合されるねじロッドと、
このねじロッドの他端側に螺合されるナットとからなり、
前記フラットバーに螺着されているねじロツドはビーム材の爪部に形成したボルト挿通孔を貫通してビーム材の下側に突出し、このねじロツドの突出部にナットを螺合して床版用型枠とビーム材とを所定の位置に確りと固定し、
Ｉ型材で構成した主桁の上側フランジの上面にその長手方向に沿って配置されているアンカー材で固定される段取り筋と前記フラットバーとが点溶接で固定されていることを特徴としている。
【０００９】
また、請求項２に開示の本発明は、請求項１の構成に加えて、フラットバーの下面にスペーサブロックの受部が設置してあることを特徴としている。
【発明の効果】
【００１０】
本発明では、主桁の上側フランジ上面にアンカー材で段取り筋を固定し、端部にボルト挿通孔が透設されるとともに、そのボルト挿通孔に対応して袋ナットが溶着されているフラットバーを前記段取り筋に点溶接して主桁に対してフラットバーを相対固定しているので、型枠用のビーム材を吊下げ保持するためのフラットバーを固定する場合に、構造材である主桁に対する熱影響がほとんどなく、橋梁強度を低下させることがなくなる。
【００１１】
また、フラットバーの下面にスペーサブロックの受部を形成した場合には、主桁とフラットバーとの間隔を十分保持することができるので、コンクリートのかぶり寸法を確保することができる。
【図面の簡単な説明】
【００１２】
【図１】コンクリート床版の形成時を示す要部の取り出し断面図である。
【図２】型枠支持ビームを主桁に支持させた状態での取り出し斜視図である。
【図３】吊下げ型金具の一実施形態を示す斜視図である。
【図４】吊下げ型金具の別実施形態を示す斜視図である。
【発明を実施するための形態】
【００１３】
橋梁におけるコンクリート床版は、図１に示すように、図示を省略した橋脚上に設置したＩ型鋼材で形成した複数の主桁(１)に、床版用型枠(２)をビーム材(３)で相対的に固定保持し、床版用型枠(２)の上面に鉄筋を配筋後に、コンクリートを打設することで、主桁の上部フランジ(１ａ)を取り込む状態に形成される。
【００１４】
この床版用型枠(２)は、ハンチ部を形成するように端部を下り傾斜状に形成した合板パネル(２ａ)と、合板パネル(２ａ)の平面性を維持するために、合板パネル(２ａ)の裏面に平行に配置した複数本の単管(２ｂ)とを有しており、端部に形成した下り傾斜部分の合板パネル(２ａ)を主桁(１)の上部フランジ(１ａ)に下側から当接するように配置される。
【００１５】
床版用型枠(２)を保持するビーム材(３)は、外ビームと内ビームとで構成されたビティビームであり、その端部に形成した爪部(３ｃ)を後述する吊り下げ金具(５)で吊り下げ支持することで床版用型枠(２)を主桁(１)に相対的に固定保持できるようにしてある。
【００１６】
吊り下げ金具(５)は、両端部にボルト挿通孔(６)を透設するとともにそのボルト挿通孔(６)の上面側開口の周縁部に袋ナット(７)が溶着されている鋼製フラットバー(８)と、該袋ナット(７)に螺合されるとともに、前記ビーム材(３)の爪部(３ｃ)に形成したボルト挿通孔(９)を貫通するねじロツド(10)と、前記ビーム材(３)の爪部(３ｃ)の下側で該ねじロツド(10)に螺合するワッシャ(11)及びナット(12)で構成されている。
【００１７】
また、この吊り下げ金具(５)を構成しているフラットバー(８)の下面に丸鋼製の二対の短片(13)がフラットバー(８)の長軸側端辺に沿って突設してあり、短軸方向で対向している短片(13)でスペーサブロック(14)の受部(15)を形成している。
【００１８】
上述の構成からなる吊り下げ金具(５)は、主桁(１)の上側フランジ(１ａ)の上面に所定ピッチで長手方向に配置されているアンカー材(16)とで係着されることで主桁(１)の上面に支持されている段取り筋(17)に吊り下げ金具(５)のフラットバー(８)を点溶接で固着し、受部(15)の形成位置で、フラットバー(８)の下面と主桁(１)の上側フランジ(１ａ)の上面との間にスペーサブロック(14)を挿入して主桁(１)の上側フランジ(１ａ)の上面でのカブリ寸法を確保するようにしてある。
【００１９】
吊り下げ金具(５)を構成しているフラットバー(８)を段取り筋(17)を介して主桁(１)に保持した状態で、隣り合う主桁(１)同士間に、床版用型枠(２)と、この床版用型枠(２)を保持するビーム材(３)とを配置し、ビーム材(３)の爪部(３ｃ)に形成したボルト挿通孔(９)にねじロツド(10)を挿入し、その上端部をフラットバー(８)に形成されているボルト挿通孔(６)を通して袋ナット(７)に螺合するとともに、ビーム材(３)の爪部(３ｃ)の下側に連出しているねじロツド(10)にワッシャ(11)とナット(12)を装着して、ナット(12)を操作して床版用型枠(２)とビーム材(３)とを確りと所定の位置に固定する。このとき、ねじロツド(10)でのフラットバー(８)とビーム材(３)の爪部(３ｃ)との間に位置する部分に合成樹脂製チューブ(図示略)を套嵌して、コンクリートがねじロツド(10)に付着するのを防止する。
【００２０】
図４は異なる実施態様の吊り下げ金具(５)を示し、これは主桁(１)の片側に床版用型枠(２)を支持する場合に使用するもので、袋ナット(７)がその上面開口部周縁部に溶着されているボルト挿通孔(６)をフラットバー(８)の片側に形成したものである。
【００２１】
上述の構成からなる吊り下げ金具(５)では、主桁(１)の上側フランジ上面にアンカー材(16)で支持されている段取り筋(17)に吊下げ具(５)を構成しているフラットバー(８)を点溶接で固定することで、主要構造材である主桁に対する溶接による熱影響をほとんどなくすことができ橋梁強度を低下させることがなくなる。またフラットバー(８)にボルト挿通孔(９)を透設するとともに、袋ナット(７)を溶着固定し、この袋ナット(７)に螺解可能な状態で螺合させたねじロツド(10)で型枠支持用のビーム材(３)吊下げ保持して、床版用型枠(２)を保持するようにしてあることから、橋梁下側の空間内が簡素化し、各種支保材の配置が簡略化されて、型枠設置作業や、型枠バラシ作業の作業性を高めることができることになる。
【産業上の利用可能性】
【００２２】
本発明は、橋梁の床版を現場で製作する際に最適である。
【符号の説明】
【００２３】
１…主桁、２…床版用型枠、３…型枠保持用ビーム材、５…吊下げ金具、６…ポルト挿通孔、７…袋ナット、８…フラットバー、10…ねじロッド、12…ナット、14…スペーサブロック、15…スペーサブロックの受部、16…アンカー材、17…段取り筋。
【図１】
0006310362.tif 000002
【図２】
0006310362.tif 000003
【図３】
0006310362.tif 000004
【図４】
0006310362.tif 000005